(57)【要約】【課題】  本発明は、電子写真感光体基体内部に接着固定されていない内挿部材が装填され、かつフランジの導通接点が基体とフランジに挟み込まれることなく接地された状態の電子写真感光体において、落下などの衝撃に対しても、常に導通接点を確保でき、安定的なプリント画質が得られる技術を提供することを目的とする。【解決手段】  電子写真感光体と、該電子写真感光体内部に着脱可能に設けられた内挿部材と、前記円筒状基体の少なくとも一方の開放端に設けられる樹脂製のフランジとを有するフランジ付き電子写真感光体において、前記フランジがフランジ本体と該フランジ本体に設けられた支持部と、該支持部に支持された導電部材とを有し、該導電部材が有する弾性により前記円筒状基体内面に接触し前記円筒状基体の内面と電気的な導通を形成しており、前記内挿部材が移動し前記導電部材と接触することにより生じる前記導電部材の変形を抑制する変形抑制部を前記円筒状基体内部に設けたことを特徴とするフランジ付電子写真感光体。【選択図】        図３
2006084638.tif 000002
【特許請求の範囲】
【請求項１】
電子写真感光体と、該電子写真感光体内部に着脱可能に設けられた内挿部材と、前記円筒状基体の少なくとも一方の開放端に設けられる樹脂製のフランジとを有するフランジ付き電子写真感光体において、
前記フランジがフランジ本体と該フランジ本体に設けられた支持部と、該支持部に支持された導電部材とを有し、該導電部材が有する弾性により前記円筒状基体内面に接触し前記円筒状基体の内面と電気的な導通を形成しており、
前記内挿部材が移動し前記導電部材と接触することにより生じる前記導電部材の変形を抑制する変形抑制部を前記円筒状基体内部に設けたことを特徴とするフランジ付き電子写真感光体。
【請求項２】
電子写真感光体と、該電子写真感光体内部に着脱可能に設けられた内挿部材と、前記円筒状基体の少なくとも一方の開放端に設けられる樹脂製のフランジとを有するフランジ付き電子写真感光体に用いられるフランジにおいて、
前記フランジがフランジ本体と該フランジ本体に設けられた支持部と、該支持部に支持された導電部材と、前記内挿部材が移動し前記導電部材と接触することにより生じる前記導電部材の変形を抑制する変形抑制部を有することを特徴とするフランジ。
【請求項３】
請求項１に記載のフランジ付き電子写真感光体を有してなることを特徴とする電子写真用ドラムカートリッジ。
【請求項４】
請求項１に記載のフランジ付き電子写真感光体を有してなることを特徴とする画像形成装置。
【発明の詳細な説明】
【技術分野】
【０００１】
本発明は電子写真感光体の両端を支持するフランジであり、それを用いた電子写真感光体に関する。また、この電子写真感光体を用いたプロセスカートリッジおよび画像形成装置に関する。
【背景技術】
【０００２】
ファクシミリ、レーザービームプリンタ、コピーなど、電子写真技術を使用して画像形成を行う画像形成装置は、近年の目覚しい技術革新により、小型、低価格となり、現在では、オフィスのみならず、一般家庭環境でも使用されている。
ここで述べる電子写真技術を使用した画像形成装置とは、電子写真用電子写真感光体(以下、「電子写真感光体」ということもある)を中心に、少なくとも帯電部材、画像露光装置、現像装置、転写装置を有し、各装置が順に作動することで、画像形成を行う装置を指す。
【０００３】
電子写真感光体は、まず帯電装置により、一様に帯電された後、画像露光装置により原稿の画像情報を担持した光を照射することで、電子写真感光体表面に静電潜像を形成する。次いで、この静電潜像を現像装置で現像することでトナー像を得、転写装置で被転写媒体に転写することで、プリント画像が得られる。そして電子写真感光体上に残った表面電荷は、最終的には除電される。
【０００４】
このように、帯電、静電潜像形成、現像、転写、除電という一連のサイクルが、安定的に繰り返されるためには、電子写真感光体の基体が、常に確実にアースに接地されゼロ電位であり、明電位、暗電位の安定性が確保される必要がある。
【０００５】
仮に、このアースへの接地が確保されていないと、プリント画質は形成されない。
【０００６】
この要求を満たすために、通常、電子写真感光体の基体にはアルミニウム合金などの導電性基体を用い、装置本体の導電性材料を通じて接地される。
近年、比較的小径の円筒状導電性基体の端部に装着されるフランジは、殆どが樹脂製であるため、絶縁性であることが多い。
【０００７】
このため、導通を確保するために、一般には、樹脂フランジに導電性部材を電極として付属させたものを電子写真感光体に装着し、この導電性部材の一端を基体に、他端をこの電子写真感光体を設置する装置内の接地された導電性部に接触させることにより電子写真感光体基体を接地させることが行われている。
このような導電性部材は、材料としては銅または銅合金，鋼または鉄合金，アルミニウムまたはアルミニウム合金が用いられ、樹脂フランジの外面にネジ止め、はめ込み、溶着などの方法で固着されている。
【０００８】
導電性部材の形状については、様々な出願がなされており、代表的な板バネ形状（例えば、特許文献１参照）に紹介される以外に、 コイル状（例えば、特許文献２参照）、 ブッシュ状（例えば、特許文献３参照）、織布状導電性部材（例えば、特許文献４参照）などが提案されている。樹脂フランジは、電子写真感光体への駆動ギアとしての働きも担うため、電子写真感光体基体への密着嵌合が必要であり、これは主として接着固着により行われ、通常、基体内面に接着剤を塗布し、挿入固定する方式が採られている。
【０００９】
このとき、挿入時に導電性部材が基体内面の接着剤をかき取って、接点部で接着剤が固化し、導通不良が発生してしまうことがあり、対策として接着剤の塗布部分を制御するなどの方法も発明されている（例えば、特許文献５参照）。
【００１０】
また、基体内面の汚れも、導通不良を誘発する原因となる。
【００１１】
電子写真感光体製法において、代表的な浸漬塗布の場合、基体内面への塗液入り込みが発生するため、塗布後に内面を拭き取る工程が入るのが一般的であるが、拭き取りが不十分だと薄い膜が残ってしまうことがある。
【００１２】
これが導通接点と同期してしまうと、導通不良が発生してしまう。
【００１３】
このため、簡便かつ確実に導通確保ができる手段として、基体端部から５mm以上内側に接点を設けることを規定した発明が紹介されている（例えば、特許文献６参照）。
他方、電子写真感光体基体内部には、騒音抑制材料、電子写真感光体温度制御ヒーターなど内挿部材を充填することもある。
【００１４】
以下に、上記内挿部材の代表例として、騒音抑制材料(サイレンサー)について記載する。
【００１５】
一般的に採用されている帯電方式には、コロナ帯電などに代表される非接触帯電方式、ブラシ帯電、ローラ帯電などに代表される接触帯電方式がある。
【００１６】
コロナ帯電では、高電圧が印加されるために大量のオゾンが発生し、オゾン問題による環境への影響が問題視されているが、接触帯電は印加電圧が低いため、オゾンの発生が極めて低い。
【００１７】
接触帯電方式は、直流電圧だけでも使用可能ではあるが、帯電ムラが起こりやすくなるため、印加電圧は交流電圧を重畳させた直流電圧で行うことが望ましい。
【００１８】
しかし、交流電圧を重畳した直流電圧を帯電装置に印加した場合には、交流電圧の重畳により印加電圧が高くなり、直流電圧の場合よりオゾン、窒素酸化物などの低抵抗汚染物質により画像品質が悪くなるという現象の他、耳障りな高周波音である帯電音が発生するという騒音上の問題がある。
【００１９】
帯電音は直流電圧で印加した場合にはほとんど問題にならないが、交流電圧の場合は、振動電流であるため、電子写真感光体に振動を発生させ、このときの振動が耳にはキーンという連続的な騒音となって聞こえる。
【００２０】
従来この帯電音を減少させるために、いろいろな施策がなされており、（例えば特許文献７のように）電子写真感光体の重量を実質的に増加させないような、長手方向にスリット、および、くびれを有した円筒状の樹脂製の内挿部材を、電子写真感光体の内壁に所定の摩擦力で押接させるものがある。
【００２１】
この方法は帯電器からの振動エネルギーにより、電子写真感光体内部で内挿部材が小刻みに動き、擦れることによって、振動エネルギーを熱エネルギーに変換、放出することで帯電音を減少させるというものである。
【特許文献１】特開平９−１４６４１１号公報
【特許文献２】特開平７−４４０６０号公報
【特許文献３】特開平７−４４０６１号公報
【特許文献４】特開２００２−６２７５９号公報
【特許文献５】特開平１０−２５４２９３号公報
【特許文献６】特開平２−１２５２８１号公報
【特許文献７】特開平８-５４８０４号公報
【発明の開示】
【発明が解決しようとする課題】
【００２２】
上記サイレンサーは、接着剤で内面に固着されないため、自身の押接力のみで基体内面の位置を確保していることになるが、この力が強すぎると基体の変形を生み、バンディングなどの画質ムラ欠陥を発生させる原因となる。このため、適度な力に抑えることが重要となるが、この力は基体軸方向に垂直落下・衝突した際の衝撃には脆弱であり、サイレンサーは位置ズレを起こす。
【００２３】
我々が行った一連の試験では、導通接点を基体内面１５mm位置にし、スリットの入った樹脂サイレンサーを入れた電子写真感光体を、電子写真感光体カートリッジに組込み、高さ１mの位置から落下させたところ、落下衝突時の衝撃でサイレンサーが位置ずれを起こし、導通接点と基体の間に挟まり、導通不良が発生することが分かった。
【００２４】
すなわち、本発明の目的は、接着固定されていない内挿部材を有したフランジ付き電子写真感光体であっても、落下衝突時の衝撃に対して、常に導通接点を確保できるフランジ付き電子写真感光体、及び、プロセスカートリッジ、また、そのフランジ付き電子写真感光体に用いられるフランジ、更には、このフランジ付き電子写真感光体を用いた画像形成装置を提供することにある。
【課題を解決するための手段】
【００２５】
上記目的を達成すべく本発明は、内挿部材が導電部材と接触することによる導電部材の曲がり等の変形を抑制する変形抑制部材を電子写真感光体内部に設けることで、内挿部材が衝突落下試験等で移動した場合であっても、導電部材の変形を抑制し、導通状態を確保することができることを見出し、本発明に至った。
【００２６】
すなわち本発明は、以下の通りである。
【００２７】
請求項１に記載のフランジ付き電子写真感光体は、電子写真感光体と、該電子写真感光体内部に着脱可能に設けられた内挿部材と、前記円筒状基体の少なくとも一方の開放端に設けられる樹脂製のフランジとを有するフランジ付き電子写真感光体において、前記フランジがフランジ本体と該フランジ本体に設けられた支持部と、該支持部に支持された導電部材とを有し、該導電部材が有する弾性により前記円筒状基体内面に接触し前記円筒状基体の内面と電気的な導通を形成しており、前記内挿部材が移動し前記導電部材と接触することにより生じる前記導電部材の変形を抑制する変形抑制部を前記円筒状基体内部に設たフランジ付き電子写真感光体である。
【００２８】
請求項２に記載のフランジは、電子写真感光体と、該電子写真感光体内部に着脱可能に設けられた内挿部材と、前記円筒状基体の少なくとも一方の開放端に設けられる樹脂製のフランジとを有するフランジ付き電子写真感光体に用いられるフランジにおいて、前記フランジがフランジ本体と該フランジ本体に設けられた支持部と、該支持部に支持された導電部材と、前記内挿部材が移動し前記導電部材と接触することにより生じる前記導電部材の変形を抑制する変形抑制部を有するフランジである。
【００２９】
請求項３に記載の電子写真用ドラムカートリッジは、請求項１に記載のフランジ付き電子写真感光体を有してなる電子写真用ドラムカートリッジである。
【００３０】
請求項４に記載の画像形成装置は、請求項１に記載のフランジ付き電子写真感光体を有してなる画像形成装置である。
【００３１】
本発明によれば、上記フランジを使用することにより、落下などの衝撃に対しても、常に導通接点を確保できるようにすることが可能となる。
【発明の効果】
【００３２】
本発明の構成をとることで落下衝突時の衝撃に対しても、常に導通接点を確保できるフランジ、フランジ付き電子写真感光体、及びそれを用いたプロセスカートリッジを提供できる。本発明のフランジ付き電子写真感光体を使用した画像形成装置は常に感光体の導通が確保できるため良好なプリント画質が得られる効果を奏している。
【発明を実施するための最良の形態】
【００３３】
以下、本発明の好適な実施形態について図面を用いて説明する。
【００３４】
＜フランジ付き電子写真感光体＞
図１は本発明の内挿部材が組み込まれたフランジ付き電子写真感光体の長手方向の概略断面図である。
【００３５】
円筒状の電子写真感光体１１の内部に内挿部材１４が挿入されており、また、その電子写真感光体１１の両端はフランジ１２，１３で閉じられている。
【００３６】
図２は、図１に示す矢印Ｘ−Ｘ方向に見た内挿部材の形状の一例を示した図である。
【００３７】
図２に示す内挿部材１４には、その長手方向に延びるスリット１４ａが形成されており、さらに、スリット１４ａの反対側に、やはりその長手方向に延びるくびれ部１４ｂが形成されており、径方向に撓みやすく形成されている。
【００３８】
この内挿部材１４は、例えばアクリル，ＡＢＳ，ガラス入りポリカーボネート等の樹脂で形成することができる。その他、ステンレス等の金属、硬質ゴム等で内挿部材１４を形成してもよい。内挿部材１４は、電子写真感光体１１の内部に配置したときに、その電子写真感光体１１の内壁との間で所定の摩擦力を持って接するよう、その外径寸法や表面粗さ等が予め定められている。
【００３９】
なお、図１の内挿部材は振動抑制部材として使用されている例であるが、振動防止部材の代わりに感光体ヒータ等の内挿部材を用いても良い。
【００４０】
＜フランジ＞
次に本発明のフランジについて説明する。
【００４１】
図３〜図５は本発明のフランジの概略図である。
【００４２】
これらの図面では共通する構成には同じ符号を付与している。
【００４３】
図３（ａ）は本発明第１の実施形態を表すフランジの側面図であり、電子写真感光体の一端に嵌合され設けられている。図３（ｂ）は図３（ａ）のフランジを上面から見た上面図である。
【００４４】
図３（ａ）のフランジ３０は電子写真感光体内部へ挿入される嵌合部３２を有するフランジ本体３１と、この嵌合部３２の先端に支持体３３を介して設けられ、電子写真感光体内部との導通を確保するための導電部材３４とを有している。
【００４５】
この導電部材３４は概略板状のものであり、このフランジを電子写真感光体内部に嵌合させた時に、導通部材の端部を電子写真感光体の内面に接触させられるような大きさを有するものである。この導通部材の厚さは、フランジを電子写真感光体内部に挿入した際に、電子写真感光体を変形させない程度の厚さであれば特に制限はないが、０.１ｍｍから１ｍｍの範囲が好ましい。また材質としては、ステンレスやリン青銅が弾性を有している点で接触に有利である。
【００４６】
図３のフランジにはさらに本発明の変形抑制部材３５を有している。
【００４７】
この変形抑制部材３５は、前記内挿部材が移動してきたときにその上端部Aが内挿部材の下端と突き当たり、内挿部材が導電部材と接触することを防止し、それにより、導電部材の変形し導通が遮断されるのを防ぐものである。
【００４８】
また、変形抑制部材３５は、その上端部Aを導電部材３４の最上面と同じ高さ、または、それ以上の高さを有するようにフランジに設けられている。
【００４９】
その形状については、図３に記載した柱状のものに限らず、導電部材を設けた部分以外の形状にあわせた形状とすることもできる。
【００５０】
図４は本発明の第２の実施態様に関する図面で、図４（ａ）は、その側面図を示し、図４（ｂ）はその上面図を示す。
【００５１】
本発明の変形抑制部材３５は、図３のように１箇所に設けてもよいし、図４のように複数個所に設けても良い。
【００５２】
その数は設置面積の制約により決定される範囲内で、内挿部材の衝突により変形しない程度の強度が出せるものであれば特に制限はない。
【００５３】
図５は本発明の第３の実施形態を示す側面図である。
【００５４】
図５は図３、図４とは異なり、変形抑制部材が導電部材とフランジ本体との間に設けられた構造であり、導電部材の支持体と、変形抑制部材とを兼用する場合の構成を示すものである。
【００５５】
図５は、図３における導電部材を支持する支持部３３と変形抑制部３５とを兼用する構造とするために、導電性部材３４を支持する変形抑制部３５’’を設けたもので、この変形抑制部３５’’の最も電子写真感光体内部との距離が短い部分Bと電子写真感光体内面との距離が内挿部材内面と電子写真感光体内面との距離よりも小さくなるように設定され、導電部材を支持する構造となっている。
【００５６】
本発明のフランジを構成する樹脂は、特に制限はないが、例えば、ＡＢＳ樹脂、ポリカーボネート、変性ＰＰＯ樹脂等を用いることができる。なかでも強度、成型しやすさの観点からポリカーボネートが好ましい。
【００５７】
また、本発明のフランジは、フランジ本体、嵌合部、支持部、変形防止部を分割して別体としてもよく、一体のものとしても良い。
【００５８】
＜画像形成装置＞
図７は本発明のフランジ付き電子写真感光体を用いた画像形成装置の一例を示す概略構成図である。
【００５９】
電子写真感光体７７１が図示の矢印Ａの方向に回動しており、この電子写真感光体７１が帯電装置７２により一様に接触帯電される。この帯電装置７２には、電子写真感光体７１の軸と平行の軸を中心に回転自在に軸支された帯電ロール７２１が備えられており、この帯電ロール７２１は、図示しない加圧バネにより電子写真感光体７１に押圧付勢されて電子写真感光体７１に直線状に接触し、電子写真感光体７１の回動に従動して矢印Ｂの方向に回転する。この帯電ロール７２１には、板バネ状の電極７２２を経由して図示しない電圧印加電源からの所定の電圧（直流電圧＋交流電圧）が印加されており、これにより、電子写真感光体７１の表面が必要な電位に帯電処理される。また、この帯電装置７２には、帯電ロール７２１の表面を常にクリーニングされた状態に保つためにクリーニングパッド７２３が備えられている。
【００６０】
電子写真感光体７１の、帯電装置７２により帯電された領域には、レーザ光７３により画像が記録されて静電潜像が形成され、その静電潜像が現像装置７４の、矢印Ｃ方向に回転する現像ロール７４１により運ばれたトナーにより現像され、そのトナー像が転写装置７５を構成する転写ロール７５１に転写され、その後、その転写ロール７５１に転写されたトナー像が、ペーパーガイド（図示せず）または用紙搬送部材（図示せず）より供給された用紙（図示せず）上に転写される。
【００６１】
なお、図７では、転写において直接用紙に転写する場合を示しているが、中間転写体を介して用紙に転写するものでも良い。
【００６２】
一方、電子写真感光体７１は転写装置７５よりもさらに下流側に配置されたクリーナ７６により、次の画像形成のためにクリーニングされる。
【００６３】
図７において電子写真感光体７１は、本発明のフランジ付き電子写真感光体であり、電子写真感光体は導電性材料からなる円筒状基体の周面に有機感光体層を形成したものであり、円筒状基体は本発明のフランジにより電気的に接地されている。
【００６４】
この構成をとることで、確実な導通が確保され電子写真感光体を接地することが可能になり、くり返し使用しても安定した画像を長期間に渡り得ることができる画像形成装置とすることができる。
【００６５】
＜プロセスカートリッジ＞
本発明のプロセスカーリッジは、本発明のフランジ付き電子写真感光体を有していれば他の構成については制限がなく、例えば上述の画像形成装置に着脱自在な機構を有しているものが好ましい。
【００６６】
さらに、電子写真感光体の周囲には、前述の帯電装置、現像装置、およびクリーニング装置から選ばれる少なくとも１つの装置を有していても良い。
【００６７】
本発明のフランジ付き電子写真感光体をプロセスカートリッジに搭載することで、落下衝突時の衝撃に対しても、常に導通接点を確保でき、画像形成装置にこのプロセスカートリッジを搭載したとき良好な感光体の接地が確保できるため安定して良好なプリント画質が得られるようになる。
【００６８】
以下、実施例及び比較例に基づいて本発明を更に具体的に説明するが、本発明は以下の実施例に何ら限定されるものではない。
【実施例１】
【００６９】
＜内挿部材の作製＞
外径φ４５ｍｍ、肉厚４ｍｍ、長さ１００ｍｍのＡＢＳ樹脂円筒パイプに、幅３ｍｍのスリットを形成し、次いで、くびれ部の最も肉厚が薄い部分で０．８ｍｍとなるように、くびれ部の幅２ｍｍの加工を施した。
【００７０】
その後、スリット部にスペーサーを噛ませながら、くびれ部を加熱し、所定の押接力を得られるようにφ４５．５５ｍｍに外径を広げた内挿部材を作製した。
【００７１】
＜フランジ付き電子写真感光体の作製＞
外径φ４７ｍｍ、長さ２５３ｍｍ、肉厚１.０、両端部からそれぞれ１０ｍｍを内径４５.５ｍｍとなりようにインロー加工した円筒状基体の上に感光層を形成した電子写真感光体の内部中央に上述の内挿部材を1本挿入した。
【００７２】
次いで、その一端を図３のフランジで、他端を図６に示すフランジにて閉管した。
図３のポリカーボネート樹脂製フランジはフランジ本体が外径４７ｍｍ、高さ１０ｍｍであり、嵌合部外径が４５.５ｍｍであり、嵌合幅１０ｍｍである。さらに、フランジは、嵌合部から１０ｍｍ感光体の内側方向に突出し導電部材を支持する外径３０ｍｍの支持部を有しており、その支持部に、導電部材を固定した。導電部材の電子写真感光体直径方向の最大長さは電子写真感光体の中心軸から４５.５ｍｍであり嵌合の最に電子写真感光体の内面と接触するようになっている。
【００７３】
そして、フランジには、変形抑制部３５を導電部材から３ｍｍ感光体の内側方向に突出してなり、電子写真感光体内面との最短距離が３.５ｍｍとなる位置に設けた。
【実施例２】
【００７４】
実施例２におけるフランジとして実施例１の図３のフランジの代わりに、図４で示すフランジで閉管した以外は、実施例１同様の電子写真感光体を準備した。
【００７５】
すなわち実施例２のフランジは、図４に示すように変形抑制部３５’として直径２ｍｍのピンをそれぞれのピンの電子写真感光体内面との距離が３ｍｍとなるように全部で１０本設けた以外は実施例１のフランジと同じものを用いた。
【実施例３】
【００７６】
実施例３におけるフランジとして実施例１の図３のフランジの代わりに、図５で示すフランジで閉管した以外は、実施例１と同様の電子写真感光体を準備した。
【００７７】
すなわち、実施例３のフランジは図５に示すように変形抑制部３５’’を電子写真感光体内面との距離が３ｍｍとなるように設けたものである。
＜比較例１＞
【００７８】
実施例１におけるフランジとして図３の代わりに、図８で示す変形抑制部を有していない従来のフランジで閉管した以外は、実施例１同様の電子写真感光体を準備した。
【００７９】
すなわち、比較例１のフランジは支持部と電子写真感光体内部との最短距離が７.５ｍｍであり変形抑制部が無いこと以外実施例１のフランジと同じもの用いた。
【００８０】
＜評価＞
上記電子写真感光体を、ドラムカートリッジに組込み、包装材料で梱包した後、電子写真感光体の導通部材側フランジを下に向けて、1mの高さから落下させた後、ドラムカートリッジを図７に示す電子写真装置に設置して、出力したプリント画質を比較した。
【００８１】
その結果を表１に示す。
【００８２】
【表１】
2006084638.tif 000003
本発明の条件を満たす実施例１〜実施例３のフランジ付き電子写真感光体では、良好な画質が得られているのに対し、条件を満たさない比較例１のフランジでは画像が形成されなかった。
【００８３】
そこで、比較例１のフランジ付き電子写真感光体内部の様子を調べたところ、図９に示すように、内挿部材が基体と導通部材との間に挟まり、導通を遮断していることが確認できた。
【図面の簡単な説明】
【００８４】
【図１】フランジ付き電子写真感光体の概略断面図
【図２】内挿部材の断面図
【図３】本発明第１実施態様のフランジの側面図及び上面図
【図４】本発明第２実施態様のフランジの側面図及び上面図
【図５】本発明第３実施態様のフランジの側面図
【図６】本発明で用いられる他端側フランジの側面図
【図７】画像形成装置の概略構成図
【図８】比較例１におけるフランジの側面図
【図９】比較例１におけるフランジ付き感光体の落下試験後の状態を示す概略断面図
【符号の説明】
【００８５】
１１、７１・・・電子写真感光体、１１２、１１３、３０、４０、５０、６０・・・フランジ、１４・・・内挿部材、１４ａ・・・スリット、１４ｂ・・・くびれ部、３１、６１・・・フランジ本体、３２、６２・・・嵌合部、３３・・・支持部、３４・・・導電部材、３６・・・シャフト（支持軸）、７２・・・帯電装置、７３・・・露光光、７４・・・現像装置、７５・・・転写装置、７６・・・クリーニング装置
【図１】
2006084638.tif 000004
【図２】
2006084638.tif 000005
【図３】
2006084638.tif 000006
【図４】
2006084638.tif 000007
【図５】
2006084638.tif 000008
【図６】
2006084638.tif 000009
【図７】
2006084638.tif 000010
【図８】
2006084638.tif 000011
【図９】
2006084638.tif 000012